(57)【特許請求の範囲】
【請求項１】
略平行四辺形板状、略菱形板状又は略長方形板状のいずれかの形状をなし、その下面には平坦な着座面が形成され、その上面には主切刃逃げ面が形成され、前記上面の対向する一対の稜辺には、主切刃がそれぞれ形成され、隣接する２つの側面が交差する稜線であって前記一対の稜辺に交わる稜線には、前記主切刃に交差する副切刃がそれぞれ形成され、さらに、前記上面の中央部には、厚さ方向に上下面を貫通する取付け穴が形成され、この取付け穴に挿通したクランプねじを利用してスローアウェイ式エンドミルの工具本体に着脱自在にねじ止めされるスローアウェイチップにおいて、
主切刃を形成した前記一対の稜辺と副切刃を形成した前記稜線の双方に連なる側面には、少なくとも、主切刃すくい面と、取付け基準面と、副切刃すくい面とが形成され、
前記主切刃すくい面は、前記主切刃方向で前記副切刃と交差する一端Ａから他端Ｂにわたって当該主切刃に連なり、下方側且つ内方側に向かって延びる平坦面又は曲面によって構成され、
前記取付け基準面は、前記主切刃すくい面から下方側へ延びて前記着座面と直角に交差する平坦面によって構成されるとともに、少なくとも前記他端Ｂにおける当該スローアウェイチップの厚さ方向の幅が当該他端Ｂから着座面までの距離の７０％〜１００％以下の範囲にあるように形成され、
前記副切刃すくい面は、前記副切刃の稜線に連なるとともに前記主切刃すくい面と前記取付け基準面との交差稜線上の一点を頂点とした三角形状をなしており、且つ前記副切刃の稜線から前記頂点に向かうにしたがってチップ内側に漸次傾斜していることを特徴とするスローアウェイチップ。
【請求項２】
略三角形板状又は略正方形板状をなし、その下面には平坦な着座面が形成され、その上面には主切刃逃げ面が形成され、前記上面の各稜辺には、主切刃がそれぞれ形成され、隣接する２つの側面が交差する稜線であって前記各稜辺に交わる稜線には、前記主切刃に交差する副切刃がそれぞれ形成され、さらに、前記上面の中央部には、厚さ方向に上下面を貫通する取付け穴が形成され、この取付け穴に挿通したクランプねじを利用してスローアウェイ式エンドミルの工具本体に着脱自在にねじ止めされるスローアウェイチップにおいて、
主切刃を形成した前記稜辺と副切刃を形成した前記稜線の双方に連なる側面には、少なくとも、主切刃すくい面と、取付け基準面と、副切刃すくい面とが形成され、
前記主切刃すくい面は、前記主切刃方向で前記副切刃と交差する一端Ａから他端Ｂにわたって当該主切刃に連なり、下方側且つ内方側に向かって延びる平坦面又は曲面によって構成され、
前記取付け基準面は、前記主切刃すくい面から下方側へ延びて前記着座面と直角に交差する平坦面によって構成されるとともに、少なくとも前記他端Ｂにおける当該スローアウェイチップの厚さ方向の幅が当該他端Ｂから着座面までの距離の７０％〜１００％以下の範囲にあるように形成され、
前記副切刃すくい面は、前記副切刃の稜線に連なるとともに前記主切刃すくい面と前記取付け基準面との交差稜線上の一点を頂点とした三角形状をなしており、且つ前記副切刃の稜線から前記頂点に向かうにしたがってチップ内側に漸次傾斜していることを特徴とするスローアウェイチップ。
【請求項３】
前記主切刃は、その前記一端Ａから前記他端Ｂにわたって単一又は複数の直線で構成した直線状切刃、もしくは円弧、放物線又は楕円の一部のうちいずれか１つの曲線で近似したねじれ状切刃で構成され、前記スローアウェイ式エンドミルの工具本体に取付けられたとき、前記主切刃を構成する直線状切刃のアキシャルレーキ、もしくは、前記主切刃を構成するねじれ状切刃のねじれ角の絶対値が５°〜３０°の範囲に設定されていることを特徴とする請求項１又は２記載のスローアウェイチップ。
【請求項４】
前記主切刃すくい面は、前記着座面の垂線に対して１０°〜４０°の範囲の角度をなすように傾斜し、且つ前記スローアウェイ式エンドミルに取付けたときの当該主切刃のラジアルレーキが０°〜１５°の範囲に設定されていることを特徴とする請求項１〜３のいずれか１項記載のスローアウェイチップ。
【請求項５】
工具軸心まわりに回転される工具本体の先端外周部に形成されたチップ座に、スローアウェイチップを着脱自在に取付けてなるスローアウェイ式エンドミルにおいて、
前記スローアウェイチップは、請求項１〜４のいずれか１項記載のスローアウェイチップであり、その着座面を前記チップ座の底面に当接し、その主切刃逃げ面を工具外周側に向けるとともに、１つの側面に形成された主切刃すくい面を工具回転方向に向け、他の側面に形成された少なくとも１つの取付け基準面を前記チップ座の拘束壁面に当接し、さらに、前記工具軸心に対して芯上がりになるとともに、工具外周側に位置する主切刃を構成する直線状切刃のアキシャルレーキ、もしくは前記主切刃を構成するねじれ状切刃のねじれ角の絶対値が５°〜３０°の範囲にあるように配設され、前記取付け穴に挿通されたクランプねじを利用して、前記工具本体に着脱自在にねじ止めされていることを特徴とするスローアウェイ式エンドミル。
【請求項６】
前記工具本体上で、前記主切刃のラジアルレーキが０°〜１５°の範囲にあることを特徴とする請求項５記載のスローアウェイ式エンドミル。
【請求項７】
前記主切刃全体が複数の直線で構成した直線状切刃、もしくは円弧、放物線又は楕円の一部のうちいずれか１つの曲線で近似したねじれ状切刃で構成され、これら直線状切刃及びねじれ状切刃の前記工具軸心を中心とした回転半径がほぼ等しくなるように、前記スローアウェイチップが前記工具本体に配設されていることを特徴とする請求項５又は６記載のスローアウェイ式エンドミル。
【発明の詳細な説明】
【技術分野】
【０００１】
本発明はスローアウェイチップ及びそれを装着したスローアウェイ式エンドミルに関する。
【背景技術】
【０００２】
従来のスローアウェイ式エンドミル（以下、エンドミルという。）においては、板状のスローアウェイチップ（以下、チップという。）を工具本体のチップ座に平置き、もしくは縦置きしたもの等がある。これらのエンドミルを図１５及び図１６に例示する。
【０００３】
図１５に示す従来エンドミルは、略平行四辺形板状をなすチップ３１をチップ座５に平置きしたものである。すなわち、チップ３１は、すくい面とされる一端面３３を工具回転方向に向け、主切刃逃げ面とされる側面３５を工具外周側に向けて、工具本体１に着脱自在に装着されてなるエンドミルである（例えば、特許文献１参照）。
【０００４】
図１６に示す従来エンドミル１は、略四角形板状をなすチップ５をチップ座４に縦置きしたものである。すなわち、チップ５は、着座面となる下面をチップ座の底面に当接し、外周逃げ面とされる上面１０を工具外周側に向け、すくい面６とされる側面を工具回転方向に向けて、工具本体３に着脱自在に装着されてなるエンドミルである（例えば、特許文献２参照）。
【０００５】
【特許文献１】特開平５−５０３１７号公報
【特許文献２】特開２００２−２７３６１１号公報
【発明の開示】
【発明が解決しようとする課題】
【０００６】
ところで、前述した従来エンドミルを、工具径２０ｍｍ以下、特に工具径１２ｍｍ以下の小径エンドミルに適用した場合、以下の問題があった。図１５に示す従来エンドミルでは、２つ以上のチップを装着すると、工具本体は、その芯厚が小さくなり強度が著しく低下してしまうため、工具ビビリが生じやすくなり、場合によっては工具本体が破損に至る問題があった。図１６に示す従来エンドミルでは、チップは、工具外周側を向く主切刃逃げ面と被削材とのクリアランスを確保するため、大きなネガ（負）のラジアルレーキβでもって工具本体に装着されることから切削抵抗が大きくなり主切刃の切れ味が悪くなる問題があった。すくい面となるチップの側面にポジ（正）のすくい角を付すことにより、主切刃の切れ味は改善されるものの、取付け穴の周囲に肉厚を確保できずにチップの強度が低下してしまい、さらに着座面の面積が小さくなり工具本体への取付け安定性が得られないうえに、チップの側面が着座面に対して鈍角をなすため切削抵抗を受けたときチップ座の拘束壁面をずり上がってしまうおそれがあった。
【０００７】
本発明は、前記の事情を鑑みてなされたものであり、その目的は、工具本体ならびにチップの強度を高めるとともに主切刃の切れ味を高め、さらに工具本体への取付け安定性を高めたチップ及びエンドミルを提供することにある。
【課題を解決するための手段】
【０００８】
前記の課題を解決するため、本発明のチップは、略平行四辺形板状、略菱形板状又は略長方形板状のいずれかの形状をなし、その下面には平坦な着座面が形成され、その上面には主切刃逃げ面が形成され、前記上面の対向する一対の稜辺には、主切刃がそれぞれ形成され、隣接する２つの側面が交差する稜線であって前記一対の稜辺に交わる稜線には、前記主切刃に交差する副切刃がそれぞれ形成され、さらに、前記上面の中央部には、厚さ方向に上下面を貫通する取付け穴が形成され、この取付け穴に挿通したクランプねじを利用してスローアウェイ式エンドミルの工具本体に着脱自在にねじ止めされるスローアウェイチップにおいて、主切刃を形成した前記一対の稜辺と副切れ刃を形成した前記稜線の双方に連なる側面には、少なくとも主切刃すくい面と取付け基準面とが形成され、前記主切刃すくい面は、前記主切刃方向で前記副切刃と交差する一端Ａから他端Ｂにわたって当該主切刃に連なり、下方側且つ内方側に向かって延びる平坦面又は曲面によって構成され、前記取付け基準面は、前記主切刃すくい面から下方側へ延びて前記着座面と直角に交差する平坦面によって構成されるとともに、少なくとも前記他端Ｂにおける当該スローアウェイチップの厚さ方向の幅が当該他端Ｂから着座面までの距離の７０％〜１００％の範囲にあるように形成されていることを特徴とするものである。
【０００９】
また、他の本発明のチップは、略三角形板状又は略正方形板状をなし、その下面には平坦な着座面が形成され、その上面には主切刃逃げ面が形成され、前記上面の各稜辺には、主切刃がそれぞれ形成され、隣接する２つの側面が交差する稜線であって前記各稜辺に交わる稜線には、前記主切刃に交差する副切刃がそれぞれ形成され、さらに、前記上面の中央部には、厚さ方向に上下面を貫通する取付け穴が形成され、この取付け穴に挿通したクランプねじを利用してエンドミルの工具本体に着脱自在にねじ止めされるチップにおいて、主切刃を形成した前記稜辺と副切れ刃を形成した前記稜線の双方に連なる側面には、少なくとも主切刃すくい面と取付け基準面とが形成され、前記主切刃すくい面は、前記主切刃方向で前記副切刃と交差する一端Ａから他端Ｂにわたって当該主切刃に連なり、下方側且つ内方側に向かって延びる平坦面又は曲面によって構成され、前記取付け基準面は、前記主切刃すくい面から下方側へ延びて前記着座面と直角に交差する平坦面によって構成されるとともに、少なくとも前記他端Ｂにおける当該チップの厚さ方向の幅が当該他端Ｂから着座面までの距離の７０％〜１００％の範囲にあるように形成されていることを特徴とするものである。
【００１０】
また、本発明のエンドミルは、工具軸心まわりに回転される工具本体の先端外周部に形成されたチップ座に、前記の本発明のチップを着脱自在に取付けてなるエンドミルにおいて、前記チップは、その着座面を前記チップ座の底面に当接し、その主切刃逃げ面を工具外周側に向けるとともに、１つの側面に形成された主切刃すくい面を工具回転方向に向け、他の側面に形成された少なくとも１つの取付け基準面を前記チップ座の拘束壁面に当接し、さらに、前記工具軸心に対して芯上がりになるとともに、工具外周側に位置する主切刃を構成する直線状切刃のアキシャルレーキ、もしくは前記主切刃を構成するねじれ状切刃のねじれ角の絶対値が５°〜３０°の範囲にあるように配設され、前記取付け穴に挿通されたクランプねじを利用して、前記工具本体に着脱自在にねじ止めされていることを特徴とするものである。
【発明の効果】
【００１１】
本発明のチップ及びエンドミルによれば、チップは、その厚さ方向の上下面をエンドミルの径方向に向けて工具本体に取付けられるため、チップを平置きする従来工具よりも当該エンドミルの工具本体の芯厚が大きくなり強度が高くなる。
【００１２】
本発明のチップにおいて、取付け基準面は、主切刃方向で副切刃と交差する一端Ａから他端Ｂにわたって当該主切刃に連なるとともに、下方側且つ内方側に向かって延びるように形成された主切刃すくい面から下方側へ延びて着座面と直角に交差する平坦面によって構成されているため、取付け穴の周囲が肉厚となり当該チップの強度が高められると同時に、チップ座の底面に着座する面積が大きくなるため取付け安定性が高くなる。さらに、チップは、直角に交差する着座面と取付け基準面をそれぞれチップ座に当接保持されていることから、切削抵抗によるチップ座からのずり上がりが生じにくく安定した取付け状態を保たれる。
【００１３】
しかも、少なくとも前記他端Ｂにおける厚さ方向の幅が当該他端Ｂから着座面までの距離の７０％〜１００％の範囲、好ましくは８０％〜１００％の範囲にあることによって、エンドミルの工具本体に取付けられたとき、チップ座の拘束壁面に当接保持される取付け基準面の工具先端側端部に位置する前記他端Ｂにおいては、チップ座の拘束壁面により当該チップの厚さ方向に十分な幅でもって当接保持されることから、工具回転方向後方側に向かって作用する主分力、特に低切込み時の主切刃の工具先端側に集中的に作用する主分力によるチップの軸心まわりの回転、ならびに工具回転方向後方側へのまくり上がりが防止され、チップの取付け安定性がきわめて高くなる。取付け基準面において、少なくとも前記他端Ｂにおける厚さ方向の幅が当該他端Ｂにおけるチップの厚さの７０％〜１００％の範囲にあればよく、前記一端Ａ側における厚さ方向の幅が限定されるものではないが、前記幅が前記一端Ａ側に向かうにつれ減少するように形成され、且つ前記一端Ａにおける前記幅が当該一端Ａにおけるチップの厚さの０％以上且つ７０％未満の範囲にあるのが好ましい。そうすれば、主に切削に関与する主切刃の工具先端側端部（低切込み側）に向かうにつれ主切刃すくい面の厚さ方向の幅が大きくなり切屑の排出が円滑になり排出性が良好となる。
【００１４】
そのうえ、チップは、工具軸心に対して芯上がりとなるように、つまりラジアルレーキβがネガ（負）になるように取付けられているため、チップ座の工具回転方向後方部が肉厚となり、チップ座の耐久性とチップの取付け強度が高められる。しかも、主切刃に連なる主切刃すくい面は、主切刃から着座面に向かうにつれ前記主切刃よりも内側に引っ込むように傾斜することによってポジ（正）のすくい角が付されているため、工具本体上における主切刃のラジアルレーキβ'をポジ化し、当該主切刃の切れ味を高める。
【００１５】
既述した効果は、従来技術では工具本体の強度及び剛性を確保することが難しい、あるいはチップのラジアルレーキがネガ（負）となり切削抵抗が大きくなりやすい、工具径２０ｍｍ以下、特に工具径１２ｍｍ以下の小径エンドミルにおいて絶大となる。
【００１６】
本発明のチップにおいて、前記主切刃は、その前記一端Ａから前記他端Ｂにわたって単一又は複数の直線で構成した直線状切刃、もしくは円弧、放物線又は楕円の一部のうちいずれか１つの曲線で近似したねじれ状切刃で構成され、前記スローアウェイ式エンドミルの工具本体に取付けられたときの前記主切刃を構成する直線状切刃のアキシャルレーキ、もしくは、前記主切刃を構成するねじれ状切刃のねじれ角の絶対値が５°〜３０°の範囲に設定されると、主切刃の食付きの衝撃が小さくなり切削時の振動及び加工精度が向上する。前記アキシャルレーキもしくはねじれ角をポジ（正）にすることは、切削抵抗の工具軸心方向分力（背分力）を小さくし切削時の振動及び加工精度をきわめて向上させるうえに、切屑を上方に向かって流出され排出性を良好にするので特に望ましい。主切刃のアキシャルレーキもしくはねじれ角を前記の範囲に限定した理由は、絶対値が５°未満になると切削抵抗や食付きの衝撃を小さくする効果が得られず、＋３０°を超えると工具先端部における主切刃と副切刃の交差部が鋭くなりチッピングや欠損を生じるおそれがあり、−３０°よりもマイナス側になると被削材に作用する切削抵抗の工具軸心方向分力（背分力）が大きくなり振動の増大、加工精度の悪化を招くからである。
【００１７】
さらに、本発明のチップにおいて、前記主切刃すくい面は、前記着座面の垂線に対して１０°〜４０°の範囲の角度をなすように傾斜し、且つ前記エンドミルに取付けたときの当該主切刃のラジアルレーキβ'が０°〜１５°の範囲に設定されると、切削抵抗の主切刃接線方向の分力及び主切刃法線方向の分力が小さくなる。したがって、切削中の振動が抑えられ加工能率の向上がはかられる。主切刃すくい面と着座面の垂線とのなす角度を前記の範囲に限定したのは、１０°未満では、チップの工具本体への取付け姿勢における見かけのラジアルレーキβによっては、主切刃のラジアルレーキβ'が０°未満となるおそれがあり、４０°を超えると主切刃の刃先が鋭くなりすぎてチッピングや欠損を生じやすくなるからである。なお、主切刃すくい面が曲面で構成される場合には、前記曲面の主切刃各部における接線角度が、前記着座面の垂線に対して１０°〜４０°の範囲の角度をなすように傾斜させる。
【００１８】
本発明のエンドミルにおいて、主切刃全体が複数の直線で構成した直線状切刃、もしくは円弧、放物線又は楕円の一部のうちいずれか１つの曲線で近似したねじれ状切刃で構成され、これら直線状切刃及びねじれ状切刃の工具軸心を中心とした回転半径がほぼ等しくなるように、前記チップが工具本体に配設されると、被削材の加工壁面の真直度ならびに加工底面に対する直角度が良好となる。
【発明を実施するための最良の形態】
【００１９】
次に、本発明を適用したチップ及びエンドミルの実施形態について図を参照しながら説明する。図１は本発明の実施形態であるチップの斜視図である。図２は図１に示すチップを上面に直交する方向からみた正面図である。図３は図１に示すチップの側面図である。図４は図１に示すチップの底面図である。図５、図６、図７はそれぞれ図２におけるＳ１−Ｓ１線切断部端面図、Ｓ２−Ｓ２線切断部端面図、Ｓ３−Ｓ３線切断部端面図である。図８及び図９はそれぞれ本発明の実施形態であるエンドミルの分解斜視図及び組立斜視図である。図１０は図８に示すエンドミルを工具軸心ＣＬに直交する方向からみた正面図である。図１１は図８に示すエンドミルの平面図である。図１２は図８に示すエンドミルの工具先端側からみた側面図である。図１３及び図１４は本発明の他の実施形態であるエンドミルの正面図である。
【００２０】
まず、本実施形態のチップ１０について説明する。図１及び図２において、チップ１０は略平行四辺形板状をなし、超硬合金、サーメット、セラミックス等の硬質材料からなる。チップ１０は、その下面が平坦面からなる着座面１２とされ、この着座面１２に対向する上面が逃げ面１１とされている。上面の平行四辺形面において対向する一対の稜辺には、主切刃１５がチップ１０の軸心を基準として対称的にそれぞれ形成されている。各主切刃１５に連なる側面１３と、この側面１３と隣接する側面１４との交差する稜線１３ｅには、前記主切刃１５と交差するように副切刃１６がそれぞれ形成されている。また、チップ１０の上面の平行四辺形面においては、エンドミルに取付けたとき、主切刃のねじれ角が５°〜３０°の範囲のポジ（正）となるように鋭角隅部からそれぞれ延びる一対の稜辺のなす角度（頂角）は５０°〜８５°の範囲に設定されている。
【００２１】
図３において、主切刃１５と副切刃１６の双方に連なる一対の側面１３には、少なくとも主切刃すくい面１３ａと取付け基準面１３ｂとが形成されている。各主切刃すくい面１３ａは、主切刃１５方向で当該主切刃１５と副切刃１６とが交差する一端Ａから他端Ｂにわたって当該主切刃１５に連なり、下方側且つ内方側に向かって前記側面１３の途中まで延びる平坦面で形成されている。各取付け基準面１３ｂは、前記主切刃すくい面１３ａの下方に連なり、着座面１２に直角に交差する平坦面からなり、正面視において、図２の破線で示すように前記一端Ａ側にいくにしたがって主切刃１５よりも内側に引っ込むように傾斜している。これに対応して各主切刃すくい面１３ａは、前記他端Ｂから前記一端Ａに向かうにしたがってチップ１０の厚さ方向の幅が漸次大きくなる一方で、各取付け基準面１３ｂは、前記一端Ａから前記他端Ｂに向かうにしたがって前記厚さ方向の幅が漸次大きくなっていて、前記他端Ｂにおける厚さ方向の幅Ｈ１が当該他端Ｂから着座面１２までの距離の７０％〜１００％の範囲にあり、例えば本実施形態では１００％になるように形成されている（図４参照）。一方、取付け基準面１３ｂの前記一端Ａにおける厚さ方向の幅は、当該一端Ａから着座面１２までの距離Ｈ２の０％以上且つ７０％未満の範囲にあり、例えば本実施形態では０％になるように形成されている（図３参照）。
【００２２】
図３において、各主切刃１５は、円弧、放物線又は楕円の一部のうちいずれ１つの曲線で近似したねじれ状切刃で構成され、前記他端Ｂから前記一端Ａに向かうにつれ着座面１２に近づくように形成されている。したがって、一方の側面１３に設けられた取付け基準面１３ｂの前記他端Ｂにおける厚さ方向の幅Ｈ１は、対向する他方の側面１３の一端部Ａにおける主切刃１５から着座面１２までの距離Ｈ２よりも大きくなっている。前記幅Ｈ１は後述の理由から前記距離Ｈ２の７０％以上であることが望ましく、１００％〜２００％の範囲であることが特に望ましい。（図４参照）。
【００２３】
チップ１０をエンドミルの工具本体２０に取付けたとき、工具外周側を向く逃げ面１１となる上面には、それぞれの主切刃１５に連なって曲面状をなす一対の主切刃逃げ面１１ａが形成されている。なお、前記逃げ面１１全体に逃げ（クリアランス）が確保されるように、一対の主切刃逃げ面１１ａの間には、平面状もしくは曲面状の第２逃げ面１１ｂが形成されている。各主切刃逃げ面１１ａは、ねじれ状切刃で構成された主切刃１５に対応してねじれ面状に形成されている。
【００２４】
主切刃すくい面１３ａは、平坦面に限定されず、前記ねじれ状切刃を包含するねじれ面状に形成されてもよい。また、前記主切刃１５は、ねじれ状切刃に限定されず、単一又は複数の直線で構成した直線状切刃としてもよい。その場合、主切刃すくい面１３ａ及び主切刃逃げ面１１ａは、単一もしくは複数の平面で構成される。副切刃１６に連なる前記稜辺側の側面１４は、エンドミルの工具本体２０に取付けたとき、工具先端側を向く副切刃逃げ面１４ａが形成されている。チップ１０の中央部には、当該チップ１０の軸心に沿って上下面を貫通するように取付け穴１７が形成されていて、当該チップ１０は、前記軸心を基準として主切刃すくい面１３ａ、主切刃逃げ面１１ａ及び主切刃１５が対称的に設けられ、前記軸心を中心として１８０°回転させることによって２コーナ使用可能となっている。
【００２５】
本実施形態において、副切刃１６を形成した稜線１３ｅには、当該副切刃１６に連なって副切刃すくい面１３ｃが形成されていて、この副切刃すくい面１３ｃは、主切刃すくい面１３ａと取付け基準面１３ｂとの交差稜線１３ｄの途中にある点Ｅから切欠いて副切刃１６が形成される側面１３の稜辺ＡＤに連なり、３つの頂点Ａ、Ｄ、Ｅで構成される３角形面ＡＤＥを呈している。主切刃すくい面１３ａは、その一部を副切刃すくい面１３ｃに切欠かれて、３つの頂点Ａ、Ｂ、Ｅで構成される３角形面ＡＢＥを呈している。ここで、副切刃すくい面１３ｃは、主切刃１５に平行な平面で切断した断面において、副切刃１６の稜線から前記頂点Ｅに向かうにしたがって内側に漸次陥没するように傾斜し、その勾配が同断面における主切刃すくい面１３ａの勾配よりも０°を超え且つ１０°以下の範囲の角度だけ大きくなるように形成されていて、エンドミルの工具本体２０に取付けたときのアキシャルレーキが大きくなるように作用する。なお、前述した副切刃すくい面１３ｃが省略され、副切刃１６を主切刃すくい面１３ａに連なるように形成してもよい。
【００２６】
図５及び図６の端面図に示すように、主切刃１５に直交する断面において、主切刃すくい面１３ａは、着座面１２の垂線に対して鋭角に傾斜し、その傾斜角である主切刃１５のすくい角θは１０°〜４０°の範囲のポジ（正）となっている。本実施形態では、主切刃すくい面１３ａは平坦面で構成されているが、曲面で構成されてもよい。その場合、主切刃１５に直交する断面において、当該主切刃１５の各部における主切刃すくい面１３ａの接線と、着座面１２の垂線とのなす角度がすくい角θとされ、１０°〜４０°の範囲のポジ（正）とされる。図７において、副切刃逃げ面１４ａが形成された側面１４は、平坦面で構成されていて着座面１２に略直角に交差している。
【００２７】
次に、本実施形態のエンドミル１について説明する。図８及び図９において、工具本体２０は略丸棒状をなし、その工具基端側にはシャンク部２０Ｂが形成され、工具先端側には前記シャンク部２０Ｂに連続して頭部２０Ａが形成されてなる。シャンク部２０Ｂは図示しない工作機械の主軸に直接又はミーリングホルダを介して取付けられ、工具軸心ＣＬを中心として回転させられる。
【００２８】
頭部２０Ａの先端外周部には、外周面を切欠くチップポケット２２が工具軸心ＣＬを基準として対称的に２ヶ所に形成されている。これらチップポケット２２の工具回転方向Ｋ後方側には、切欠き段部からなるチップ座２３がそれぞれ形成されている。これらチップ座２３は、工具外周側を向く底面２３ａと、この底面２３ａから略直角に立ち上がる２つの拘束壁面２３ｂ、２３ｃとから構成されている。チップ座の底面２３ａの中央部には、チップをねじ止めするための雌ねじ穴２４が設けられている。
【００２９】
図１０〜図１２において、エンドミル１は、チップ１０がその厚さ方向を径方向に向けて工具本体２０に取付けられてなる、いわゆる縦置き形式のエンドミルである。すなわち、チップ１０は、対向する一対の主切刃すくい面１３ａを択一的に工具回転方向Ｋに向け、その着座面１２をチップ座の底面２３ａに当接させるとともに、工具基端側を向く側面１４及び工具回転方向Ｋ後方側を向く取付け基準面１３ｂをそれぞれチップ座の拘束壁面２３ｂ、２３ｃに当接した状態で、取付け穴１７に挿入したクランプねじ３０をチップ座の底面２３ａに設けた雌ねじ穴２４にねじ込むことにより着脱自在に取付けられている。
【００３０】
チップ１０の取付け基準面１３ｃ、及びこの取付け基準面１３ｃに当接して当該チップを保持するチップ座の拘束壁面２３ｂは、工具先端側に向かうにつれ、当該チップ座の底面２３ａからの高さが大きくなるように形成されていて、図１２において、最も工具先端側で、最大となる前記高さｈ１が、対向する側面１３側に配されて切削を担う主切刃１５の着座面１２からの高さＨ２よりも大きくなっている。
【００３１】
さらに、チップ１０は、工具軸心ＣＬに対して芯上がり、つまりラジアルレーキβがネガ（負）となるように工具本体２０に取付けられている。前記ラジアルレーキβは、チップ１０の主切刃逃げ面１１ａの逃げが確保できるように、−２５°〜−１０°の範囲から適宜選択される。また、チップ１０の主切刃１５のねじれ形状に対応して、工具本体２０上で当該主切刃１５のねじれ角αは５°〜３０°の範囲に設定される。チップ１０の主切刃１５が単一又は複数の直線からなる直線状切刃で構成される場合においても、工具本体２０上の当該主切刃１５のアキシャルレーキαは５°〜３０°の範囲に設定される。
【００３２】
さらに、主切刃すくい面１３ａのすくい角θが加わることにより、工具本体２０上で当該主切刃１５のラジアルレーキβ'は、工具本体２０へのチップ１０の取付け角度である見かけ上のラジアルレーキβよりも大きくなり、０°〜１５°の範囲に設定される。
【００３３】
さらに、チップ１０は、ねじれ状切刃で構成された主切刃１５全体にわたって、工具軸心ＣＬを中心として回転半径が略等しくなるように工具本体２０に配設されている。なお、前記主切刃１５が複数の直線からなる直線状切刃で構成され、この直線状切刃を前記ねじれ状切刃に近似させて工具軸心ＣＬを中心として回転半径が略等しくなるように工具本体２０に配設されてもよい。
【００３４】
以上に説明したチップ１０及びエンドミル１によれば、チップ１０がその厚さ方向を工具本体２０の径方向に向けて取付けられることによって、工具本体２０の芯厚がチップを平置きする従来エンドミルよりも大きくなるためエンドミル１の強度が高くなる。また、チップ１０が工具本体２０にラジアルレーキβがネガ（負）、いわゆる芯上がりとなるように取付けられていることから、工具本体２０において、チップ座２３の工具回転方向Ｋ後方部が肉厚となり、当該工具本体２０の強度、並びに当該チップ座２３の耐久性、チップ１０の位置決め精度及び取付け強度が高められる。なお、前記ラジアルレーキβが−１０°よりもポジ（正）側になると、工具本体２０やチップ座２３の強度を高める効果が得られなくなり、前記ラジアルレーキβが−２５°よりもネガ（負）側になると、主切刃１５の切れ味が著しく悪化するおそれがある。
【００３５】
チップ１０においては、取付け基準面１３ｂが着座面１２に略直角に交差することにより、取付け穴１７の周囲が肉厚となり当該チップ１０の強度が高められると同時に、チップ座の底面２３ａに着座する面積が大きくなるため取付け安定性が高くなる。さらに、チップ１０は、直角に交差する着座面１２と取付け基準面１３ｂをそれぞれチップ座２３に当接保持されていることから、切削抵抗によるチップ座２３からのずり上がりが生じにくく安定した取付け状態を保たれる。
【００３６】
エンドミルの工具本体２０に取付けられたチップ１０において、チップ座の拘束壁面２３ｂに当接保持される取付け基準面１３ｂの工具先端部に位置する前記他端Ｂにおける当該チップ１０の厚さ方向の幅Ｈ１が、前記他端Ｂにおける当該チップ１０の厚さの７０％〜１００％の範囲にあるように形成されていることから、工具回転方向Ｋ後方側に向かって作用する主分力、特に低切込み時において、主切刃１５の工具先端側に集中的に作用する主分力によるチップ１０の軸心まわりの回転、ならびに工具回転方向Ｋ後方側へのまくり上がりが防止され、チップ１０の取付け安定性がきわめて高くなる。前記取付け基準面１３ｂの工具先端部に位置する前記他端Ｂにおけるチップ１０の厚さ方向の幅Ｈ１を、当該チップ１０の７０％以上としたのは、当該チップ１０の取付け安定性が低くなるのを回避するためである。
【００３７】
取付け基準面１３ｂの工具先端側（他端Ｂ）における厚さ方向の幅Ｈ１を、対向する側面１３の工具先端側（一端Ａ）における主切刃１５から着座面１２までの距離Ｈ２の７０％以上にすると、チップ１０の厚さ方向において、前記主切刃１５の位置近傍で取付け基準面１３ｂを当接保持できることから工具回転方向Ｋ後方側へのまくり上がりが防止され、チップ１０の取付け安定性がきわめて高くなる。特に、前記幅Ｈ１を前記距離Ｈ２の１００％〜２００％の範囲にすると、チップ１０の厚さ方向において、前記主切刃１５と等しい位置もしくは前記主切刃１５よりも高い位置で取付け基準面１３ｂを当接保持できることから前述の効果がきわめて高くなる。前記幅Ｈ１を前記距離Ｈ２の２００％以下に限定したのは、２００％を超えると逃げ面１１における逃げが確保できないおそれがあるからである。
【００３８】
そのうえ、チップ１０は、工具軸心ＣＬに対して芯上がりとなるように、つまりラジアルレーキβがネガ（負）になるように取付けられているため、工具本体２０において、チップ座２３の工具回転方向Ｋ後方部が肉厚となり、チップ座２３の耐久性とチップ１０の取付け強度が高められる。そのうえ、主切刃すくい面１３ａにはポジ（正）のすくい角θが付されることにより、主切刃１５の切れ味が高められる。主切刃すくい面１３ａのすくい角θを１０°〜４０°の範囲に限定したのは、１０°未満になると工具本体２０上で主切刃１５のラジアルレーキβ'が０°未満となり切削抵抗の低減効果が得られないおそれがあり、４０°を超えると主切刃１５の切刃稜が鋭くなりチッピングや欠損を生じやすくなるからである。
【００３９】
工具本体２０上で主切刃１５のねじれ角αもしくはアキシャルレーキαが５°〜３０°の範囲のポジ（正）とされているので、当該主切刃１５が被削材へ食付くときの衝撃が緩和され切削抵抗の工具軸心ＣＬ方向の分力が低減するうえに、切屑が工具基端側に向かって排出されるため切屑の排出性が良好となる。主切刃１５に略平行な平面で切断した断面において、副切刃すくい面１３ｃは、副切刃１６の稜線から切込み増加方向に向かうにつれ、主切刃すくい面１３ａよりもアキシャルレーキが漸次大きくなるように傾斜しているため、特に、当該副切刃すくい面１３ｃが機能する低切込み領域においては、前記の効果がきわめて高くなる。そのうえ、主切刃すくい面１３ａには、ポジ（正）のすくい角θが付されていて、工具本体２０上の主切刃１５のラジアルレーキβ'が増加するため、当該主切刃１５の切れ味が高められて、切削抵抗の主切刃接線方向の分力及び主切刃法線方向の分力が低減する。主切刃１５のねじれ角αもしくはアキシャルレーキαを前記の範囲に限定した理由は、５°未満になると、当該主切刃１５の食付きの衝撃、工具軸心ＣＬ方向の切削抵抗が大きくなるおそれがあり、３０°を超えると、主切刃１５が副切刃１６と交わる先端部が鋭くなりすぎてチッピングや欠損が生じやすくなるからである。
【００４０】
さらに、円弧、放物線又は楕円の一部のうちいずれ１つの曲線で近似したねじれ状切刃、もしくは複数の直線で構成された主切刃１５においては、工具本体２０上で、工具軸心ＣＬを中心とした回転半径が略等しくなっていることから、被削材の加工壁面における真直度ならびに加工底面に対する直角度が高くなり、高精度な加工が可能となる。特に、主切刃１５が前記ねじれ状切刃で構成された場合には、きわめて高い加工精度が得られる。
【００４１】
以上に説明した構成を有するチップ１０及びエンドミル１は、工具本体２０の芯厚の確保、切削抵抗の低減及びチップ１０の取付け強度の向上を可能にすることから、工具剛性の確保が困難な工具径２０ｍｍ以下の小径エンドミル、特に工具径が１２ｍｍ以下の小径エンドミルにおいて、工具剛性と切削性能を両立することができる。
【００４２】
既述した実施形態の構成は、略菱形板状、略三角形板状、略正方形板状又は略長方形板状のいずれかからなるチップに適用可能である。略菱形板状及び略長方形をなすチップにおいては、先の実施形態のチップ１０に採用した構成が適用される。すなわち、上面の菱形面又は長方形面における対向する一対の稜辺に主切刃１５がそれぞれ形成され、隣接する２つの側面の交差する稜線には、主切刃１５に交差する副切刃１６がそれぞれ形成され、主切刃１５と副切刃１６の双方に連なる側面１３には、先の実施形態のチップ１０と同様な構成を有する主切刃すくい面１３ａ及び取付け基準面１３ｂが設けられている（図示せず）。略長方形板状をなすチップにおいては、エンドミルの工具本体２０に取付けたときのアキシャルレーキ（又はねじれ角）がネガ（負）となるように配設される点で、先の実施形態とは相違している。
【００４３】
図１３及び図１４において、本発明を適用した正三角形板状をなすチップ１０及び正方形板状をなすチップ１０は、下面が平坦面からなる着座面１２とされ、上面が主切刃逃げ面１１ａとされ、上面の全ての稜辺には、直線状切刃からなる主切刃１５が均等に形成され、隣接する２つの側面の交差する稜線には、主切刃１５に交差する副切刃１６がそれぞれ形成されている。主切刃１５と副切刃１６の双方に連なる側面１３には、先の実施形態のチップ１０と同様な構成を有する主切刃すくい面１３ａ及び取付け基準面１３ｂが設けられ、全ての側面１３に均等に設けられている。このように構成した場合、上面の一辺稜における主切刃１５の一端Ａ、他端Ｂは、隣接する他辺稜における他端Ｂ、一端Ａにそれぞれ一致し、前記一端Ａ及び前記他端Ｂの双方では、チップの厚さが等しくなることから、取付け基準面１３ｂの前記他端Ｂにおける厚さ方向の幅Ｈ１は、当該他端Ｂから着座面１２までの距離の７０％〜１００％の範囲にあるとともに、前記一端Ａにおける主切刃１５から着座面１２までの距離Ｈ２の７０％〜１００％の範囲にある。正三角形板状をなすチップ１０においては、上面の正三角形面のコーナ部にあたる主切刃すくい面１３ａと主切刃逃げ面１１ａと副切刃逃げ面１４ａとの交差部（一端Ａ）が鋭くなって欠損するおそれがあるため前記副切刃逃げ面１４ａは、主切刃すくい面１３ａとのなす角度が大きくなるように形成されている。
【００４４】
図１３において、チップ１０は、主切刃１５のアキシャルレーキαが５°〜３０°の範囲にあり、且つラジアルレーキがネガ（負）となるように工具本体２０に配設され、チップ座２３の２つの拘束壁面２３ｂ、２３ｃに、対応する取付け基準面１３ｂをそれぞれ当接保持されて取付けられている。このとき、工具本体２０上で、主切刃１５のラジアルレーキβ'は、主切刃すくい面１３ａに付されたポジのすくい角θによって０°〜１５°の範囲にある。本実施形態のチップ１０及びエンドミル１においては、先の実施形態と同様の効果に加え、チップの使用コーナ数が３コーナとなり経済性を高める効果がある。
【００４５】
図１４において、チップ１０は、主切刃１５のアキシャルレーキαが−５°〜−３０°の範囲にあり、且つラジアルレーキがネガ（負）となるように工具本体２０に配設され、チップ座２３の２つの拘束壁面２３ｂ、２３ｃに、対応する取付け基準面１３ｂをそれぞれ当接保持されて取付けられている。このとき、工具本体２０で、主切刃１５のラジアルレーキβ'は、主切刃すくい面１３ａに付されたポジのすくい角θによって０°〜１５°の範囲にある。本実施形態のチップ１０及びエンドミル１において、主切刃１５のアキシャルレーキαは、ネガとなっているが、その絶対値が５°〜３０°の範囲にあれば、当該主切刃１５が被削材に食付くときの衝撃がポジに設定した場合と同様に緩和され、切削時の振動及び加工精度が向上する。この効果は、上面のコーナ部が直角となる略長方形板状をなすチップにおいても得られる。しかし、アキシャルレーキαが−３０°よりもマイナス側になると被削材に作用する切削抵抗の工具軸心方向分力（背分力）が大きくなり振動の増大、加工精度の悪化を招くおそれがある。また、チップ１０は、４辺に主切刃が等しく形成されているため、４コーナ使用することが可能であり経済性の点で特に有利である。なお、切屑が下向きに排出される傾向があるため、つながった切屑が生じる各種鋼材等の切削よりも鋳鉄等のように切屑がつながらない被削材に対して有効である。略長方形板状からなるチップに適用した場合、チップの使用コーナ数が減少するものの、本実施形態とほぼ同等な効果が得られる。
【図面の簡単な説明】
【００４６】
【図１】本発明の実施形態であるチップの斜視図である。
【図２】図１に示すチップを厚さ方向からみた正面図である。
【図３】図１に示すチップの側面図である。
【図４】図１に示すチップの底面図である。
【図５】図２におけるＳ１−Ｓ１線切断部端面図である。
【図６】図２におけるＳ２−Ｓ２線切断部端面図である。
【図７】図２におけるＳ３−Ｓ３線切断部端面図である。
【図８】本発明の実施形態であるエンドミルの分解斜視図である。
【図９】図８に示すエンドミルの組立状態の斜視図である。
【図１０】図８に示すエンドミルを工具軸心に直交する方向からみた正面図である。
【図１１】図８に示すエンドミルの平面図である。
【図１２】図８に示すエンドミルの工具先端側からみた側面図である。
【図１３】本発明の他の実施形態であるエンドミルの正面図である。
【図１４】本発明のさらに他の実施形態であるエンドミルの正面図である。
【図１５】従来エンドミルを説明する図である。
【図１６】他の従来エンドミルを説明する図である。
【符号の説明】
【００４７】
１  エンドミル
１０  チップ
１１  逃げ面
１１ａ  主切刃逃げ面
１２  着座面
１３  主切刃に連なる側面
１３ａ  主切刃すくい面
１３ｂ  取付け基準面
１３ｃ  副切刃すくい面
１４  側面
１４ａ  副切刃逃げ面
１５  主切刃
１６  副切刃
１７  取付け穴
２０  工具本体
２３  チップ座
２３ａ  チップ座の底面
２３ｂ、２３ｃ  チップ座の拘束壁面
３０  クランプねじ
【図１】
0004821244.tif 000002
【図２】
0004821244.tif 000003
【図３】
0004821244.tif 000004
【図４】
0004821244.tif 000005
【図５】
0004821244.tif 000006
【図６】
0004821244.tif 000007
【図７】
0004821244.tif 000008
【図８】
0004821244.tif 000009
【図９】
0004821244.tif 000010
【図１０】
0004821244.tif 000011
【図１１】
0004821244.tif 000012
【図１２】
0004821244.tif 000013
【図１３】
0004821244.tif 000014
【図１４】
0004821244.tif 000015
【図１５】
0004821244.tif 000016
【図１６】
0004821244.tif 000017